(57)【特許請求の範囲】
【請求項１】
断熱箱体の開口部の一側縁にはフレームを備えた扉が開閉可能に枢着され、その扉には、前記フレームの対応する２辺の間に差し渡されるようにして合成樹脂からなる開閉操作用の把手が嵌着された貯蔵庫の扉構造において、
前記把手の長さ方向の端面にはカバーが設けられ、このカバーと前記フレームの対向面のいずれか一方には凹部が、他方にはこの凹部に対して前記把手の長さ方向に沿った方向のギャップを介して嵌る突部が設けられていることを特徴とする貯蔵庫の扉構造。
【発明の詳細な説明】
【０００１】
【発明の属する技術分野】
本発明は、温蔵庫や冷蔵庫等の貯蔵庫の扉構造に関するものである。
【０００２】
【従来の技術】
従来例として、温冷配膳車に設けられた扉構造を図１１ないし図１３によって説明する。図１１において、符号８１は温冷配膳車であって、その内部には正面から見て４つの部屋が横方向に並んで設けられ、中央の２部屋が冷蔵室に、両側の２部屋が温蔵室に設定されており、各部屋ごとに扉８２が設けられている。これらの扉８２は、中央の２枚の扉８２については本体の中央の枠８３に、両側の２枚の扉８２については左右の枠８４にそれぞれ枢着されて、観音開き式に開閉可能となっている。
【０００３】
各扉８２を図１２、１３によってさらに詳しく説明すると、この扉８２は正面長方形をなす金属製のフレーム８５を備えており、そのフレーム８５の枢着側の縦縁８６と反対側の縦縁８７の内側には、上下の横縁８８の間に差し渡されるようにして縦長の把手８９が設けられている。この把手８９は合成樹脂製であって、前面側の全長にわたって手の指を差し入れることのできる操作溝９０が開口されており、一方の側縁９１が上記のフレーム８５の縦縁８７に設けられた取付溝９２に嵌められて取り付けられている。また、その把手８９の反対側の側縁に設けられた取付溝９３と、フレーム８５の上下の横縁８８並びに枢着側の縦縁８６の取付溝９２の間にわたって、２枚のガラス板９４が嵌められている。ここで、把手８９が合成樹脂で形成されているのは、扉８２の軽量化を図ることと、金属に比べて熱伝導率が低いことで断熱効果に優れているという理由によるものである。
【０００４】
【発明が解決しようとする課題】
ところで、上記した把手８９は合成樹脂製であるがために、周囲の温度変化の影響を受けて伸び縮みしやすいという事情がある。そのため、把手８９の長さ寸法をフレーム８５の上下の横縁８８の間の間隔よりも予め短く設定するとともに、上記のように縦縁８７に対してスライド可能に取り付けることで、伸縮を吸収できるようになされていた。
【０００５】
しかしながら上記のような構造であると、特に把手８９が縮んだ場合には、図１２に示すように、把手８９の上下両端と対向するフレーム８５の横縁８８との間に隙間ｔができることとなり、そのため、その隙間ｔから熱気や冷気の漏れが生じて保温機能が損なわれ、また隙間ｔから庫内が見えてしまって美観的にも芳しくないという問題があった。
本発明は上記のような事情に基づいて完成されたものであって、把手の伸縮を吸収し得るようにした上で、保温機能並びに美感にも優れた扉構造を提供することを目的とするものである。
【０００６】
【課題を解決するための手段】
上記の目的を達成するための手段として、本発明は、断熱箱体の開口部の一側縁にはフレームを備えた扉が開閉可能に枢着され、その扉には、前記フレームの対応する２辺の間に差し渡されるようにして合成樹脂からなる開閉操作用の把手が嵌着された貯蔵庫の扉構造において、前記把手の長さ方向の端面にはカバーが設けられ、このカバーと前記フレームの対向面のいずれか一方には凹部が、他方にはこの凹部に対して前記把手の長さ方向に沿った方向のギャップを介して嵌る突部が設けられている構成としたところに特徴を有する。
【０００７】
【作用】
本発明では、把手に設けられたカバーがフレームの対向部と凹凸嵌合していることで、例え隙間ができたとして迷路状に屈曲したものとなり、ラビリンス効果により空気の流通がしにくくなる。また、隙間が屈曲していることで内部が直接見えなくなる。カバーはフレームの対向部に対してギャップを有しているので、把手の伸縮にも対応し得る。
【０００８】
【発明の効果】
すなわち本発明によれば、把手の伸縮を許容した上で、空気の流通を制限して保温機能を高め、また美感にも優れたものとすることができる効果がある。
【０００９】
【発明の実施の形態】
以下、本発明を温冷配膳車に適用した実施形態を添付図面に基づいて説明する。
＜第１実施形態＞
図１ないし図９は、本発明の第１実施形態を示す。
まず本実施形態に係る温冷配膳車の構造の概要を図１によって説明する。この温冷配膳車１は、全体として矩形箱状に構成された保温室本体２を備えており、上面に機械室１１が、底部に移動用の複数個のキャスタ３がそれぞれ設けられているとともに、側面にハンドル４が設けられている。保温室本体２は前後両面が開放されているとともに、天井壁、底壁並びに左右の側壁内に発泡ウレタン等の断熱材を充填した断熱箱体として構成されている。保温室本体２の中央部には中空の中間壁５が設けられ、これにより内部に左右２室のワゴン収容室６が区画形成され、各ワゴン収容室６の前面及び背面には、詳しくは後記するように扉８が設けられている。
【００１０】
各ワゴン収容室６は左右対称的に設けられており、上記した中間壁５内には冷気を生成する図示しない冷却器が配設されて、その冷気がファンにより各ワゴン収容室６における中間壁５に近い方の領域に循環供給されるようになっている。一方、左右のワゴン収容室６の外側の位置には図示しない加熱室が設けられ、その中に収容された加熱体で生成された温風が、同じくファンにより各ワゴン収容室６における左右の側壁に近い方の領域に循環供給されるようになっている。
【００１１】
各ワゴン収容室６内には、食品が載置される合成樹脂製等のトレイ１２を上下多段に収容する棚１５を設けたワゴン１３が、車輪１７を介して引き出し可能に収容されている。トレイ１２は横長の矩形状に形成され、横幅の略中央に設けられた境界部１２ａを挟んだ一側に冷たい状態で供される食品が、他側に温かい状態で供される食品がそれぞれ載置される。ワゴン１３にはそれを左右に仕切るようにして断熱壁１６が設けられており、各トレイ１２は、その境界部１２ａを断熱壁１６に設けられた隙間１６ａに挿入しつつ棚１５上に載せられようになっている。そして上記のように断熱壁１６の設けられたワゴン１３がワゴン収容室６に収容された場合に、右側のワゴン収容室６では、右側に温蔵室１８が、左側に冷蔵室１９がそれぞれ構成され、一方の左側のワゴン収容室６では、左側に温蔵室１８が、右側に冷蔵室１９がそれぞれ構成される。したがって、一つのトレイ１２に載せられた温食は温蔵室１８で、冷食は冷蔵室１９でそれぞれ保温されることとなる。なお、上記した機械室１１の４つのコーナ部２１には、それぞれバンパ２２が装着されている。
【００１２】
続いて、扉８の部分の構造を詳細に説明する。これらの扉８は、各温蔵室１８ならびに冷蔵室１９に対応して前面と背面で４枚ずつ配設されており、温蔵室１８に対応する両側の２枚の扉８については保温室本体２の左右の開口縁に、冷蔵室１９に対応する中央の２枚の扉８については中間壁５にそれぞれ枢着されて、左右のワゴン収容室６についてそれぞれ一対の扉８が観音開き式に開閉可能に設けられている。
【００１３】
扉８の構造は次のようである。なお以下には、温冷配膳車１における前面の右端に配された扉８を例示するが、その他の扉８についても同様の構造である。この扉８は、樹脂コーティングしたアルミニウム製の本体フレーム２４を備えており、詳細には、図２に示すように、左右一対の縦フレーム２５と、上下一対の横フレーム２６とを備え、コーナ部分を連結体２７を介してねじ２８で止めて連結することで、縦長の長方形の枠状に組み付けられている。
【００１４】
縦フレーム２５と横フレーム２６の内側の面には、図３に示すように、２重の溝形状をなす取付溝２９が形成されている。詳細には、中空の本体部３０の厚さ方向の両端縁から一対の延出板３１が突設されて、それぞれの延出端が互いに突き合わされる方向に斜めに曲げられているとともに、両延出板３１の中間位置に短寸の中間板３３が突設されることで、上記の２重溝形状の取付溝２９が形成されている。
【００１５】
上記の本体フレーム２４における枢着側と反対側（図３の左側）の縦フレーム２５の内側には、扉８を開閉操作するための把手３５が、上下の横フレーム２６の間に差し渡されるようにして設けられている。この把手３５は、ＡＢＳ等の合成樹脂材を押出成形して形成されており、上下の横フレーム２６の間の寸法よりも一定寸法短い長さに設定されているとともに、全体として本体フレーム２４の厚みと略同じ厚みを有している。この把手３５の前面側には、手の指を差し入れて指先を引っ掛けることが可能な操作溝３６が、全長にわたって形成されている。また、把手３５の幅方向の一側縁（図３の左側の側縁）には、上記した縦フレーム２５の取付溝２９内にがたつきなく嵌め込むことが可能で、かつその取付溝２９に沿ってスライド可能な嵌入部３７が形成されているとともに、反対側の側縁には、フレーム２５、２６の取付溝２９と略同一形状になる２重溝形状の取付溝３８が形成されている。
【００１６】
この把手３５の取付溝３８と、上下の横フレーム２６並びに枢着側の縦フレーム２５の取付溝２９にわたって、ガラス板の取付用のパッキン４０が嵌着されている。このパッキン４０は、各取付溝３８、２９内に弾力的に緊密に嵌め付けられており、それぞれ外側と内側の２本の嵌入溝４１、４２が形成されている。そして外側と内側の２枚のガラス板４３、４４が、それぞれの周縁を対応する嵌入溝４１、４２に嵌入することで、把手３５、上下の横フレーム２６並びに枢着側の縦フレーム２５の内側にわたって張られている。
【００１７】
また、本体フレーム２４の内面側の周縁にはパッキン装着溝４６が全周にわたって形成されており、その中に方形の環状をなすパッキン４７が嵌着されている。このパッキン４７は、扉８が閉められた場合に、保温室本体２の開口縁とワゴン１３の断熱壁１６に押し付けられてシールするようになっている。
【００１８】
さてこの実施形態では、把手３５の上下の端面にカバー４９が設けられている。このカバー４９は合成樹脂により形成されており、図４に示すように、把手３５の端面を覆うことができるような板状をなしている。詳細には、図３の鎖線にも示すように、把手３５の一側縁の嵌入部３７を除いた中央部分から反対側の側縁の両延出板３１にわたる部分を覆うことが可能な形状に形成されている。
【００１９】
そして、このカバー４９の幅方向の両側縁には、図６に示すように、覆い部５０が長さ方向に沿って形成されている。この覆い部５０は、対向する横フレーム２６の延出板３１における斜めに曲げられた折曲部３２の外側を覆うように機能し、外面側が鉛直面で、内面側が、上記の折曲部３２と同じ傾斜角度をなす傾斜面５１となった三角形断面に形成されている。このカバー４９が、上記のように把手３５の上下の端面に接着剤によって貼り付けられている。そのとき、カバー４９の覆い部５０の傾斜面５１と、横フレーム２６の延出板３１の折曲部３２との間には、ギャップが設けられるようになっており、そのギャップは、詳しくは後記するように、把手３５が熱膨張により最大限に伸張した場合にも、カバー４９が横フレーム２６に突き当たらない程度に取られている。
【００２０】
なお、温蔵室１８側に設けられる前後４枚の扉８については、閉じられた状態から保温室本体２の左右の側面側に回り込むようにして約２７０度にわたって開放されるようになっており、以下それについて簡単に説明する。
保温室本体２の左右の開口縁の上下両端部には、図２の鎖線に示すように上下一対のブラケット５３が取り付けられており、両ブラケット５３の間には、縦向きの回転軸体５５が回転自由に支持されている。回転軸体５５の上下の端面には、その外側の角部付近に軸受孔５６が開口され、その中に各ブラケット５３から突設された縦向きの支持軸５４が嵌入されることで、支持軸５４回りの回転自由となっている。この回転軸体５５は、図３に示すように、２枚のパネル５８、５９が組み付けられることで、断面が略長方形をなす中空状に形成されており、軸受孔５６が形成された近傍の角の部分が、逃がし用に円弧形に形成されているとともに、扉８の取り付け側の面における外側の角部には、後記するねじりコイルばね６５の一方の脚６８を挿入して固定するための挿入溝６０が形成されている。また各ブラケット５３にはストッパ６２が設けられており、このストッパ６２は、回転軸体５５が図３、７に示す閉鎖状態から開放方向に１８０度回動した場合に、図８に示すようにその一面を突き当てて回動を規制するように機能する。
【００２１】
扉８における枢着側の縦フレーム２５の側面には、図２に示すように、３個の取付体６４が間隔を開けて取り付けられている。各取付体６４の手前側の側面には、図３に示すように、ねじりコイルばね６５のコイル部６６が配され、その下端側から引き出された脚６７が、取付体６４における回転軸体５５と対向する側の面上に当てられ、図示しない取付板を押し付けてリベット等を打ち込むことで固着されている。また、ねじりコイルばね６５の他方の脚６８は、上記の脚６７と直交する向きにねじられて回転軸体５５の挿入溝６０に挿入され、その挿入溝６０の側面に同様にして固着されている。したがって扉８には、ねじりコイルばね６５の弾性力により、そのコイル部６６の軸線を中心として図３の時計回り方向の回動力が付勢され、常には取付体６４が脚６７を介して回転軸体５５の取付面側に押し付けられた状態となり、回転軸体５５と扉８とが直線状となって一体的に保持されるようになっている。また、図９に示すように、扉８の表面の回動端側の上縁には磁性板７０が嵌着されているとともに、保温室本体２の左右の側面の上端部には、その磁性板７０を吸着可能な磁石７１がブラケット７２を介して設けられている。
【００２２】
したがって、図３および図７に示す閉鎖状態から、扉８の把手３５の操作溝３６に手を入れて手前側に引くと、図７の鎖線に示すように、扉８と回転軸体５５とがねじりコイルばね６５の弾力により一体的に結合された状態で、支持軸５４を中心として反時計回り方向に回動して開放される。扉８並びに回転軸体５５が１８０度開放されると、図８に示すように、回転軸体５５がブラケット５３のストッパ６２に当たることでそれ以上の回動が規制される。続いて、扉８を裏面側から押すと、同図の鎖線に示すように、ねじりコイルばね６５をさらに弾性変形させつつ、コイル部６６の軸線を中心として反時計回り方向に回動され、９０度回動されたところで、図９に示すように、扉８に設けられた磁性板７０が、保温室本体２の磁石７１に吸着されて保持される。これにより扉８は、その閉鎖時から都合２７０度回動して開放され、保温室本体２の側面に保持されることになる。後面側の扉８についても同様である。
すなわち、扉８が１８０度開くだけの構造であると、全開時に保温室本体２の左右両側に広がって邪魔になるおそれがあるが、その点、上記のように２７０度回動させて保温室本体２の側面側に収められると、全開時にも扉８が邪魔になることがない。
【００２３】
扉８を閉める場合は、図９の開放状態から、磁石７１の吸引力に抗して扉８を引っ張って、図８の実線に示す状態まで時計回り方向に９０度回動し、この状態では、扉８と回転軸体５５とが直線状となって一体回動可能となるので、両者を支持軸５４を中心として時計回り方向にさらに１８０度回動させることで、扉８を閉めることができる。
【００２４】
続いて、本実施形態の作用を説明する。各扉８が閉じられた状態において、それらの扉８に設けられた把手３５は合成樹脂で形成されていることから、周囲の温度変化の影響を受けて縦フレーム２５の取付溝２９に沿って伸び縮みする。したがって、それを吸収するために、把手３５の上下の端面と、対向する上下の横フレーム２６の間には予め隙間ができるように設定する必要があるが、図６に示すように、把手３５の端面には、横フレーム２６の延出板３１の折曲部３２の外側を覆うような覆い部５０を設けたカバー４９が取り付けられているから、隙間があったとしても、その隙間は迷路状に屈曲したものとなり、その分、空気の流通がしにくくなる。すなわち、温蔵室１８ならびに冷蔵室１９と、外部との間で空気の流通が制限され、保温性能が高められる。また図５にも示すように、カバー４９の覆い部５０で覆われることで、外部から温蔵室１８や冷蔵室１９の内部が直接見えなくなり、美観にも優れたものとなる。もちろん、カバー４９は横フレーム２６の対向部に対してギャップを有して接離可能な状態で設けられているので、把手３５が伸張した場合にも対応できる。
【００２５】
＜第２実施形態＞
図１０は本発明の第２実施形態を示す。この実施形態では、カバー７４の断面形状に変更が加えられている。すなわちカバー７４には、第１実施形態と同様の覆い部５０が形成されているのに加え、横フレーム２６の中間板３３の先端部分を嵌入可能な嵌入溝７６を設けた補助覆い部７５が形成されている。嵌入溝７６の底面と、中間板３３の先端との間にはギャップが設けられている。その他の構造については、前記第１実施形態と同様であって、同一部材については同一符号を付して重複した説明は省略する。
この第２実施形態では、カバー７４と横フレーム２６との間に構成される隙間が、より複雑に入り組んだ迷路状のものとなり、空気の流通がさらにしにくくなって、保温性能をより高めることができる。
【００２６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、カバーは把手とは別体に形成して接着剤で貼り付けるようにしたが、カバーを把手と一体的に形成するようにしてもよい。
（２）本発明は上記実施形態に示した温冷配膳車に限らず、温蔵庫または冷蔵庫等の断熱性の貯蔵庫に設けられた扉であって、合成樹脂製の把手を設けたもの全般に広く適用することが可能である。
【図面の簡単な説明】
【図１】  本発明の第１実施形態に係る温冷配膳車の外観斜視図である。
【図２】  扉の分解斜視図である。
【図３】  扉の断面図である。
【図４】  カバーの一部切欠斜視図である。
【図５】  扉の部分正面図である。
【図６】  図５のVI−VI線拡大断面図である。
【図７】  扉の閉鎖状態を示す一部切欠部分平面図である。
【図８】  扉を１８０度開放した状態の一部切欠部分平面図である。
【図９】  扉を全開した状態の一部切欠部分平面図である。
【図１０】  本発明の第２実施形態に係るカバーの断面図である。
【図１１】  従来例に係る温冷配膳車の正面図である。
【図１２】  その扉の一部切欠正面図である。
【図１３】  図１２のXIII−XIII線拡大断面図である。
【符号の説明】
２…保温室本体  ８…扉  ２４…本体フレーム  ２５…縦フレーム  ２６…横フレーム  ２９…取付溝  ３１…延出板  ３２…折曲部  ３５…把手  ４９…カバー  ５０…覆い部  ７４…カバー  ７５…補助覆い部
【図１】
0003662640.tif 000002
【図２】
0003662640.tif 000003
【図３】
0003662640.tif 000004
【図４】
0003662640.tif 000005
【図５】
0003662640.tif 000006
【図６】
0003662640.tif 000007
【図７】
0003662640.tif 000008
【図８】
0003662640.tif 000009
【図９】
0003662640.tif 000010
【図１０】
0003662640.tif 000011
【図１１】
0003662640.tif 000012
【図１２】
0003662640.tif 000013
【図１３】
0003662640.tif 000014